【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
複数の撮像手段をグループとして各撮像手段で被写体をグループ撮影する場合に、そのグループ撮影時に指定された、撮影目的を示す情報を取得する取得手段と、
前記取得手段によって取得された撮影目的を示す情報に基づいて、前記複数の撮像手段の撮影位置と撮影タイミングの少なくともいずれか一つを含む撮影条件を特定してグループ撮影の制御を行う撮影制御手段と、
前記取得手段によって取得された撮影目的を示す情報に基づいて、前記複数の撮像手段による各撮影画像の記録方法を特定してグループ撮影画像の記録制御を行う記録制御手段と、
を備えたことを特徴とする撮影制御装置。
【請求項２】
前記撮影制御手段及び前記記録制御手段は、撮影目的に応じて組み合わされている撮影条件及び記録方法をそれぞれ特定して、前記グループ撮影の制御及び前記グループ撮影画像の記録制御を行う、
ことを特徴とする請求項１に記載の撮影制御装置。
【請求項３】
前記撮影制御手段は、前記取得手段によって取得された撮影目的を示す情報に基づいて、前記複数の撮像手段の撮影位置又は撮影タイミングを特定すると共に、その他の撮影条件を特定してグループ撮影の制御を行う、
ことを特徴とする請求項１又は請求項２に記載の撮影制御装置。
【請求項４】
前記取得手段は、前記グループ撮影時に撮影時間を重視するのか、撮影位置を重視するのか、撮影時間及び撮影位置の組み合わせを重視するのかのうち、そのいずれかを撮影目的を示す情報として取得する、
ことを特徴とする請求項１〜請求項３のいずれか１項に記載の撮影制御装置。
【請求項５】
前記撮影制御手段は、前記グループ撮影時に撮影時間を重視するのか、撮影位置を重視するのか、撮影時間及び撮影位置の組み合わせを重視するのかのうち、いずれかに応じて、前記複数の撮像手段の撮影位置及び撮影タイミングを変化させてグループ撮影の制御を行う、
ことを特徴とする請求項４に記載の撮影制御装置。
【請求項６】
前記記録制御手段は、前記グループ撮影時に撮影時間を重視するのか、撮影位置を重視するのか、撮影時間及び撮影位置の組み合わせを重視するのかのうち、いずれかに応じて、前記複数の撮像手段による各撮影画像を記録する際の時間的な位置関係又は空間的な位置関係を変化させてグループ撮影画像の記録制御を行う、
ことを特徴とする請求項４に記載の撮影制御装置。
【請求項７】
前記取得手段は、前記グループ撮影時に撮影時間を重視するのか、撮影位置を重視するのか、撮影時間及び撮影位置の組み合わせを重視するのかのいずれかの情報を第１の撮影目的とし、前記グループ撮影の形式を示す情報を第２の撮影目的として取得し、
前記撮影制御手段は、前記取得手段によって取得された第１の撮影目的及び第２の撮影目的を示す情報に基づいて、前記複数の撮像手段の撮影位置及び撮影タイミングを特定してグループ撮影の制御を行い、
前記記録制御手段は、前記取得手段によって取得された第１の撮影目的及び第２の撮影目的を示す情報に基づいて、前記複数の撮像手段による各撮影画像の記録方法を特定してグループ撮影画像の記録制御を行う、
ことを特徴とする請求項４に記載の撮影制御装置。
【請求項８】
前記撮影制御手段は、前記取得手段によって取得された撮影目的が撮影時間を重視するグループ撮影の場合に、同一の被写体を前記複数の撮像手段で順次撮影させる制御を行い、
前記記録制御手段は、前記取得手段によって取得された撮影目的が撮影時間を重視するグループ撮影の場合に、前記複数の撮像手段で順次撮影された各画像をその撮影順に連続再生が可能となるように記録させる制御を行う、
ことを特徴とする請求項４又は請求項７に記載の撮影制御装置。
【請求項９】
前記撮影制御手段は、グループ撮影の共通する被写体の特徴情報を前記複数の撮像手段に対して通知することによって各撮像手段側でその共通被写体を認識している間を撮影タイミングとする、
ことを特徴とする請求項８に記載の撮影制御装置。
【請求項１０】
前記撮影制御手段は、前記取得手段によって取得された撮影目的が撮影時間を重視するグループ撮影の場合に、同一の被写体を前記複数の撮像手段でシャッタ速度を変えて撮影させる制御を行い、
前記記録制御手段は、前記取得手段によって取得された撮影目的が撮影時間を重視するグループ撮影の場合に、前記複数の撮像手段で撮影された各画像を被写体の位置に合わせて合成して再生可能となるように記録させる制御を行う、
ことを特徴とする請求項４又は請求項７に記載の撮影制御装置。
【請求項１１】
前記撮影制御手段は、前記取得手段によって取得された撮影目的が撮影位置を重視するグループ撮影の場合に、同一の被写体を左右の位置関係にある前記複数の撮像手段で連続撮影させる制御を行い、
前記記録制御手段は、前記取得手段によって取得された撮影目的が撮影時間を重視するグループ撮影の場合に、前記複数の撮像手段で連続撮影された各画像から立体視可能な画像を合成して再生可能となるように記録させる制御を行う、
ことを特徴とする請求項４又は請求項７に記載の撮影制御装置。
【請求項１２】
前記撮影制御手段は、前記取得手段によって取得された撮影目的が撮影位置を重視するグループ撮影の場合に、異なる被写体を前記複数の撮像手段で個別に撮影させる制御を行い、
前記記録制御手段は、前記取得手段によって取得された撮影目的が撮影時間を重視するグループ撮影の場合に、前記複数の撮像手段で異なる被写体が個別に撮影された各画像を並べて１枚の画像として合成して再生可能となるように記録させる制御を行う、
ことを特徴とする請求項４又は請求項７に記載の撮影制御装置。
【請求項１３】
前記複数の撮像手段に通信接続する通信手段を更に備え、
前記撮影制御手段は、前記複数の撮像手段の撮影位置と撮影タイミングの少なくともいずれか一つを含む撮影条件を特定して各撮像手段にグループ撮影の制御情報として前記通信手段を介して送信し、
前記記録制御手段は、前記取得手段によって取得された撮影目的を示す情報に基づいて、前記複数の撮像手段で撮影された各画像を前記通信手段を介して受信すると共に、受信した各撮影画像を前記特定した記録方法にしたがって記録する、
ことを特徴とする請求項１〜請求項１２に記載の撮影制御装置。
【請求項１４】
前記複数の撮像手段に通信接続する通信手段を更に備え、
前記撮影制御手段は、前記通信手段を介して前記複数の撮像手段の撮影位置と撮影タイミングの少なくともいずれか一つを含む撮影条件を受信してグループ撮影の制御を行い、
前記記録制御手段は、撮影された画像を前記通信手段を介して送信する、
ことを特徴とする請求項１〜請求項１２に記載の撮影制御装置。
【請求項１５】
複数の撮像手段をグループとして各撮像手段で被写体をグループ撮影する場合に、そのグループ撮影時に指定された、撮影目的を示す情報を取得するステップと、
前記取得された撮影目的を示す情報に基づいて、前記複数の撮像装置の撮影位置と撮影タイミングの少なくともいずれか一つを含む撮影条件を特定してグループ撮影の制御を行うステップと、
前記取得された撮影目的を示す情報に基づいて、前記複数の撮像手段による各撮影画像の記録方法を特定してグループ撮影画像の記録制御を行うステップと、
を含むことを特徴とする撮影制御方法。
【請求項１６】
コンピュータに対して、
複数の撮像手段をグループとして各撮像手段で被写体をグループ撮影する場合に、そのグループ撮影時に指定された、撮影目的を示す情報を取得する機能と、
前記取得された撮影目的を示す情報に基づいて、前記複数の撮像手段の撮影位置と撮影タイミングの少なくともいずれか一つを含む撮影条件を特定してグループ撮影の制御を行う機能と、
前記取得された撮影目的を示す情報に基づいて、前記複数の撮像手段による各撮影画像の記録方法を特定してグループ撮影画像の記録制御を行う機能と、
を実現させるためのプログラム。
【手続補正２】
【補正対象書類名】明細書
【補正対象項目名】０００７
【補正方法】変更
【補正の内容】
【０００７】
上述した課題を解決するために本発明の撮影制御装置は、
複数の撮像手段をグループとして各撮像手段で被写体をグループ撮影する場合に、そのグループ撮影時に指定された撮影目的を示す情報を取得する取得手段と、
前記取得手段によって取得された撮影目的を示す情報に基づいて、前記複数の撮像手段の撮影位置又と撮影タイミングの少なくともいずれか一つを含む撮影条件を特定してグループ撮影の制御を行う撮影制御手段と、
前記取得手段によって取得された撮影目的を示す情報に基づいて、前記複数の撮像手段による各撮影画像の記録方法を特定してグループ撮影画像の記録制御を行う記録制御手段と、
を備えたことを特徴とする。
【手続補正３】
【補正対象書類名】明細書
【補正対象項目名】０００８
【補正方法】変更
【補正の内容】
【０００８】
上述した課題を解決するために本発明の撮影制御方法は、
複数の撮像手段をグループとして各撮像手段で被写体をグループ撮影する場合に、そのグループ撮影時に指定された撮影目的を示す情報を取得するステップと、
前記取得された撮影目的を示す情報に基づいて、前記複数の撮像手段の撮影位置と撮影タイミングの少なくともいずれか一つを含む撮影条件を特定してグループ撮影の制御を行うステップと、
前記取得された撮影目的を示す情報に基づいて、前記複数の撮像手段による各撮影画像の記録方法を特定してグループ撮影画像の記録制御を行うステップと、
を含むことを特徴とする。
【手続補正４】
【補正対象書類名】明細書
【補正対象項目名】０００９
【補正方法】変更
【補正の内容】
【０００９】
上述した課題を解決するために本発明のプログラムは、
コンピュータに対して、
複数の撮像手段をグループとして各撮像手段で被写体をグループ撮影する場合に、そのグループ撮影時に指定された撮影目的を示す情報を取得する機能と、
前記取得された撮影目的を示す情報に基づいて、前記複数の撮像手段の撮影位置と撮影タイミングの少なくともいずれか一つを含む撮影条件を特定してグループ撮影の制御を行う機能と、
前記取得された撮影目的を示す情報に基づいて、前記複数の撮像手段による各撮影画像の記録方法を特定してグループ撮影画像の記録制御を行う機能と、
を実現させる。